(57)【要約】【課題】大断面トンネルや非円形トンネルを構築するときにセグメントが厚くなるのを抑えることができ、大断面トンネルや非円形トンネルを長距離に渡って容易に構築できるトンネルの構築方法及びトンネル構造を提供する。【解決手段】シールド１を掘進させて主トンネル２を構築し、主トンネル２に沿って他のシールド１０を掘進させて副トンネル１１を主トンネル２と平行に構築し、副トンネル１１と主トンネル２とを連結部材１２を介して連結して主トンネル２を支持・補強する。【選択図】図１
2008025305.tif 000002
【特許請求の範囲】
【請求項１】
シールドを掘進させて主トンネルを構築し、該主トンネルに沿って他のシールドを掘進させて副トンネルを主トンネルと平行に構築し、上記副トンネルと上記主トンネルとを連結部材を介して連結して主トンネルを支持・補強することを特徴とするトンネルの構築方法。
【請求項２】
上記主トンネルの下部に沿って上記副トンネルを構築し、該副トンネルと上記主トンネルとを連結部材を介して連結して主トンネルを支持する請求項１記載のトンネルの構築方法。
【請求項３】
円形シールドを複数側方に連ねた形状の複円型シールドを掘進させると共に、その後方にトンネル円形部を形成する湾曲板状のセグメントとトンネル円形部間のくびれ部を形成するカモメ型セグメントとを組み立て、さらに、上下のカモメ型セグメント間に中柱を介設して断面複円形の主トンネルを構築し、該主トンネルの上下のくびれ部のうち少なくとも下側のくびれ部に沿って他のシールドを掘進させて副トンネルを主トンネルと平行に構築し、上記副トンネルに上記主トンネルのくびれ部を連結部材を介して連結してくびれ部を支持したのち、上記中柱を撤去することを特徴とするトンネルの構築方法。
【請求項４】
上記主トンネルを構築したのち、主トンネルの上下のそれぞれのくびれ部に沿って上記副トンネルを構築し、これら副トンネルにくびれ部をそれぞれ連結部材を介して連結してこれらくびれ部を支持したのち、上記中柱を撤去する請求項３記載のトンネルの構築方法。
【請求項５】
上記副トンネルを構築したのち、副トンネルをアンカーで地山に固定する請求項１〜４のいずれかに記載のトンネルの構築方法。
【請求項６】
シールドを掘進させて主トンネルを構築し、該主トンネルに沿って他のシールドを掘進させて副トンネルを主トンネルと平行に構築し、上記副トンネルと上記主トンネルとを連結部材を介して連結して主トンネルを支持・補強することを特徴とするトンネル構造。
【請求項７】
上記主トンネルの下部に沿って上記副トンネルを構築し、該副トンネルと上記主トンネルとを連結部材を介して連結して主トンネルを支持する請求項６記載のトンネル構造。
【請求項８】
円形シールドを複数側方に連ねた形状の複円型シールドを掘進させてその後方に断面複円形の主トンネルを構築すると共に、該主トンネルの上下のくびれ部のうち少なくとも下側のくびれ部に沿う位置に他のシールドを掘進させて副トンネルを主トンネルと平行に構築し、該副トンネルに上記主トンネルのくびれ部を連結部材を介して連結してくびれ部を支持することを特徴とするトンネル構造。
【請求項９】
上記主トンネルの上下のそれぞれのくびれ部に沿って上記副トンネルを構築し、これら副トンネルにくびれ部をそれぞれ連結部材を介して連結してこれらくびれ部を支持する請求項８記載のトンネル構造。
【請求項１０】
上記副トンネルがアンカーで地山に固定された請求項６〜９のいずれかに記載のトンネル構造。
【発明の詳細な説明】
【技術分野】
【０００１】
本発明は、シールドを用いたトンネルの構築方法及びトンネル構造に関する。
【背景技術】
【０００２】
シールドを用いた複数のシールドトンネルを横方向に連結形成するトンネルの構築方法としては、特許文献１記載のものが知られている。この構築方法は、一対の円形トンネルを結合部を介して結合した形状のトンネルを構築したのち、トンネル直上に地盤改良区域を形成し、この地盤改良区域に上下端が閉塞された角筒状の発進部と到達部とをトンネルの軸方向に離間して形成し、これら発進部と到達部との間に推進工法又はシールド工法により上方に湾曲するアーチ部を構築し、アーチ部、結合部間に吊アンカーを吊設して結合部を支持するものである。これによれば、従来結合部に必要であった中柱を省くことができ、トンネル内に連続した広い空間を形成することができる。
【０００３】
【特許文献１】特開２００３−１３８８９７号公報
【特許文献２】特開２００３−１３８８９８号公報
【特許文献３】特開２００３−１３８８９９号公報
【特許文献４】特開２００４−２３８９０２号公報
【特許文献５】特開平９−３１７３９２号公報
【特許文献６】特開２００４−８４２５０号公報
【特許文献７】特開平４−６００９７号公報
【特許文献８】特開２００１−１４０５９７号公報
【特許文献９】特開平３−２５３７００号公報
【特許文献１０】特開平３−２５３６９９号公報
【特許文献１１】特開２００１−３６９９号公報
【発明の開示】
【発明が解決しようとする課題】
【０００４】
しかしながら、特許文献１記載の方法では、トンネル内部から凍結工法などにより地中に地盤改良区域を形成し、この地盤改良区域に発進部と到達部を土木的な手法にて形成するものであるため、地下鉄のポイント区間等、部分的に広い空間を形成する用途には適するものの、長距離に渡って連続的に広い空間を形成する場合、発進部と到達部を多数形成しなくてはならず、手間がかかるという問題があった。
【０００５】
また、一般的に大断面トンネルや非円形トンネルを構築する場合、土圧に対して十分な強度を得るために厚いセグメントを用いるが、セグメントが厚くなるとコストが高くなると共に、セグメントの取り扱いが大変となり、セグメント搬送装置やエレクタが大がかりなものになるという課題があった。
【０００６】
またさらに、地下水が豊富な地盤に大断面トンネルを構築する場合、トンネルには大きな浮力が作用するため、いかに浮力に対抗してトンネルを安定させるかが問題となる。
【０００７】
そこで、本発明の目的は、上記課題を解決し、大断面トンネルや非円形トンネルを構築するときにセグメントが厚くなるのを抑えることができ、大断面トンネルや非円形トンネルを長距離に渡って容易に構築できるトンネルの構築方法及びトンネル構造を提供することにある。
【課題を解決するための手段】
【０００８】
上記課題を解決するために本発明は、シールドを掘進させて主トンネルを構築し、該主トンネルに沿って他のシールドを掘進させて副トンネルを主トンネルと平行に構築し、上記副トンネルと上記主トンネルとを連結部材を介して連結して主トンネルを支持・補強するものである。
【０００９】
上記主トンネルの下部に沿って上記副トンネルを構築し、該副トンネルと上記主トンネルとを連結部材を介して連結して主トンネルを支持するとよい。
【００１０】
また、円形シールドを複数側方に連ねた形状の複円型シールドを掘進させると共に、その後方にトンネル円形部を形成する湾曲板状のセグメントとトンネル円形部間のくびれ部を形成するカモメ型セグメントとを組み立て、さらに、上下のカモメ型セグメント間に中柱を介設して断面複円形の主トンネルを構築し、該主トンネルの上下のくびれ部のうち少なくとも下側のくびれ部に沿って他のシールドを掘進させて副トンネルを主トンネルと平行に構築し、該副トンネルに上記主トンネルのくびれ部を連結部材を介して連結してくびれ部を支持したのち、上記中柱を撤去するものである。
【００１１】
上記主トンネルを構築したのち、主トンネルの上下のそれぞれのくびれ部に沿って上記副トンネルを構築し、これら副トンネルにくびれ部をそれぞれ連結部材を介して連結してこれらくびれ部を支持したのち、上記中柱を撤去するとよい。
【００１２】
上記副トンネルを構築したのち、副トンネルをアンカーで地山に固定するとよい。
【００１３】
また、シールドを掘進させて主トンネルを構築し、該主トンネルに沿って他のシールドを掘進させて副トンネルを主トンネルと平行に構築し、上記副トンネルと上記主トンネルとを連結部材を介して連結して主トンネルを支持・補強するトンネル構造としたものである。
【００１４】
上記主トンネルの下部に沿って上記副トンネルを構築し、該副トンネルと上記主トンネルとを連結部材を介して連結して主トンネルを支持するとよい。
【００１５】
また、円形シールドを複数側方に連ねた形状の複円型シールドを掘進させてその後方に断面複円形の主トンネルを構築すると共に、該主トンネルの上下のくびれ部のうち少なくとも下側のくびれ部に沿う位置に他のシールドを掘進させて副トンネルを主トンネルと平行に構築し、該副トンネルに上記主トンネルのくびれ部を連結部材を介して連結してくびれ部を支持するトンネル構造としたものである。
【００１６】
上記主トンネルの上下のそれぞれのくびれ部に沿って上記副トンネルを構築し、これら副トンネルにくびれ部をそれぞれ連結部材を介して連結してこれらくびれ部を支持するとよい。
【００１７】
上記副トンネルがアンカーで地山に固定されるとよい。
【発明の効果】
【００１８】
本発明によれば、大断面トンネルや非円形トンネルを構築するときにセグメントが厚くなるのを抑えることができ、大断面トンネルや非円形トンネルを長距離に渡って容易に構築できる。
【発明を実施するための最良の形態】
【００１９】
本発明の好適実施の形態を添付図面を用いて説明する。
【００２０】
トンネル拡幅部を構築する場合、図１に示すように、円形シールドを複数側方に連ねた形状の複円型シールド１を掘進させ、その後方に断面複円形の主トンネル２を構築する。複円型シールド１は、既存のメガネ型シールドからなり、シールド内でセグメント（図示せず）を組み立てつつ組み立てたセグメントから反力をとって推力を得るようになっている。また、シールド本体３の掘進方向前端には複数のカッタ４、４が回転自在に設けられている。カッタ４、４は、それぞれ切削面を同一面上とするように配置されると共に、回転時に互いに干渉しないように同期制御されるようになっている。
【００２１】
図６に示すように、セグメント５、６、７は、トンネル円形部８を形成する湾曲板状の通常セグメント５と、トンネル円形部８、８間のくびれ部９を形成するカモメ型セグメント６と、上下のカモメ型セグメント６、６間に介設されカモメ型セグメント６、６を支持する中柱セグメント（中柱）７とからなる。セグメント５、６、７の組み立て作業は、図２に示すように下側のカモメ型セグメント６を既設セグメント（図示せず）の前端に取り付けたのち、図３に示すようにカモメ型セグメント６の両側の位置に通常セグメント５を組み付け、以降、順次周方向に通常セグメント５を組み付けて図４に示すように全ての通常セグメント５を組み付け、その後、図５に示すように上側のカモメ型セグメント６を組み付け、さらに図６に示すように、上下のカモメ型セグメント６、６間に中柱セグメント７を介設することにより行う。
【００２２】
このようにして断面複円形の主トンネル２を構築したら、図７、図８及び図９に示すように主トンネル２のくびれ部９に沿って他のシールド１０を掘進させ、副トンネル１１を構築する。このとき、主トンネル２の上下のくびれ部９、９のそれぞれに沿ってシールド１０を掘進させ、主トンネル２の上下に副トンネル１１を平行に構築する。ただし、地表に比較的近いなど、主トンネル２から中柱セグメント７を撤去しても不足する強度が僅かである場合は主トンネル２の上側の副トンネル１１を省いて下側の副トンネル１１のみとしてもよい。通常、トンネル下部にはトンネル上部よりも高い水圧が作用し、中空であるトンネルには浮力が発生するため、下側のカモメ型セグメント６を支持することで主トンネル２を効果的に補強できる。また、副トンネル１１を構築するシールド１０は構造が簡単で方向制御に優れる円形シールドが好ましい。また、副トンネル１１は、主トンネル２より小径でよく、直径２〜３ｍが好ましい。後述する副トンネル１１と主トンネル２との連結作業を行うとき、副トンネル１１の上端内周に容易に手が届き、効率よく連結作業を行うことができる。
【００２３】
この後、図１０及び図１１に示すように副トンネル１１に主トンネル２のくびれ部９を連結してくびれ部９を支持する。具体的には、主トンネル２と副トンネル１１の間の土砂に薬注を施して止水したのち、副トンネル１１の上端又は下端のセグメント（図示せず）とカモメ型セグメント６とに連結部材たる連結ボルト１２を通し、これらセグメントを締結することで行う。
【００２４】
副トンネル１１と主トンネル２のくびれ部９が連結されたら、図１２及び図１３に示すように、副トンネル１１から地山にアンカー１３を打って地山に副トンネル１１を固定し、主トンネル２の内部空間を左右に仕切る中柱セグメント７を撤去して主トンネル２の内部空間を拡幅する。このとき上側のカモメ型セグメント６は土荷重、水圧等の外力に屈して降下しないように上側の副トンネル１１に支持されており、下側のカモメ型セグメント６は外力に屈して上昇しないように下側の副トンネル１１に支持されているため、中柱セグメント７がなくとも主トンネル２は所定の断面形状を十分維持できる。この後、主トンネル２内に床板１４を設け、床板１４上にアスファルト等の舗装材（図示せず）を敷設して道路を形成する。
【００２５】
このように、シールド１を掘進させて主トンネル２を構築し、主トンネル２に沿って他のシールド１０を掘進させて副トンネル１１を主トンネル２と平行に構築し、副トンネル１１と主トンネル２とを連結部材１２を介して連結して主トンネル２を支持・補強するため、特に強度が求められるくびれ部９に沿って副トンネル１１を構築することで主トンネル２を長距離に渡って容易かつ十分に補強でき、中柱セグメント７を撤去して広いトンネル空間を得ることができる。また、副トンネル用のシールド１０は発進地点と到達地点を複円型シールド１と同じにできるため、特許文献１記載の技術のように別途発進部と到達部を形成する必要がなく、容易に主トンネル２を補強できる。
【００２６】
また、主トンネル２の下部に沿って副トンネル１１を構築し、副トンネル１１と主トンネル２とを連結ボルト１２を介して連結して主トンネル２に作用する浮力に対抗して主トンネル２を支持するようにしたため、主トンネル２が浮力によって変形したり、浮上するの容易かつ確実に防ぐことができ、トンネルを安定させることができる。
【００２７】
また、円形シールドを複数側方に連ねた形状の複円型シールド１を掘進させると共に、その後方にトンネル円形部８を形成する湾曲板状の通常セグメント５とトンネル円形部８、８間のくびれ部９を形成するカモメ型セグメント６とを組み立て、さらに、上下のカモメ型セグメント６、６間に中柱セグメント７を介設して断面複円形の主トンネル２を構築し、主トンネル２の上下のくびれ部９、９のうち少なくとも下側のくびれ部９に沿って他のシールド１０を掘進させて副トンネル１１を主トンネル２と平行に構築し、副トンネル１１に主トンネル２のくびれ部９を連結ボルト１２を介して連結してくびれ部９を支持したのち、中柱セグメント７を撤去してトンネル拡幅部を構築するため、複雑なシールドを必要とせず、簡易で実績のある既存のシールド１、１０を用いて容易に広いトンネル空間を得ることができ、トンネル拡幅部を容易に構築できる。
【００２８】
主トンネル２を構築したのち、主トンネル２の上下のそれぞれのくびれ部９、９に沿って副トンネル１１、１１を構築し、これら副トンネル１１、１１にくびれ部９、９を連結ボルト１２を介してそれぞれ連結してこれらくびれ部９、９を支持したのち、中柱セグメント７を撤去するようにしたため、上下のくびれ部９、９をそれぞれ副トンネル１１、１１で支持でき、主トンネル２から中柱セグメント７を撤去して形成するトンネル拡幅部を十分な強度にできる。
【００２９】
また、副トンネル１１を構築したのち、副トンネル１１をアンカー１３で地山に固定するため、副トンネル１１の移動を防ぐことができ、さらに安定して主トンネル２のくびれ部９を支持できる。
【００３０】
なお、複円型シールド１は、メガネ型シールドからなるものとしたが、円形シールドを３つ以上側方に連ねた形状の多連シールドからなるものであってもよい。また、カッタ４、４はそれぞれ切削面を同一面上にされるものとしたが、カッタ４は前後に位置をずらして配置されるものとしてもよい。特にカッタ４が３つ以上である場合、カッタ４同士の干渉を確実に防ぐことができる。
【００３１】
上下のカモメ型セグメント６、６間に中柱セグメント７を介設するものとしたが、中柱セグメント７に代えて中柱セグメント７とは材質の異なる他の柱材を用いてもよい。またさらに、中柱セグメント７は、カモメ型セグメント６を副トンネル１１で支持するまでの間、一時的にカモメ型セグメント６を支持できればよく、通常の複円形のトンネルを構築するときよりも中柱セグメント７間の間隔を広く設定し、中柱セグメント７の数を減らしてもよい。
【００３２】
また、副トンネル１１と主トンネル２のくびれ部９とを連結したのち地山にアンカー１３で副トンネル１１を固定するものとしたが、副トンネル１１を構築したあとであれば、副トンネル１１と主トンネル２とを連結する前に地山にアンカー１３を打って副トンネル１１を固定するものとしてもよい。
【００３３】
主トンネル２を構築したのち、主トンネル２のくびれ部９に沿って副トンネル１１を構築するものとしたが、逆に副トンネル１１を構築したのち、主トンネル２を構築しても構わない。すなわち、主トンネル２のくびれ部９が配置される予定の位置に沿ってシールド１０を掘進させて副トンネル１１を構築したのち、複円型シールド１を副トンネル１１に沿う所定の位置に掘進させて主トンネル２を構築してもよい。ただし、一般に複円型シールド１よりも円形シールドの方が方向制御が容易であり、高い精度を出せるため、主トンネル２を構築したのち、主トンネル２のくびれ部９に沿って副トンネル１１を構築する方が好ましい。
【００３４】
また、副トンネル１１は、主トンネル２と連結したのちは主トンネル２内を換気するための通気ダクトとして用いてもよく、電力線、通信線等を収容する配線用トンネルとして用いてもよく、非常用通路として用いてもよく、主トンネル２内に物資等を搬出入するための搬出入用トンネルとして用いてもよい。これらの場合、主トンネル２と副トンネル１１との間にこれらを連通する連通トンネル（図示せず）を別途構築するとよい。
【００３５】
連結部材は連結ボルト１２からなるものとしたが、これに限るものではなく、ワイヤやフレーム等、他のものであってもよい。
【００３６】
他の実施の形態について述べる。
【００３７】
図１４に示すように、幅広の矩形トンネル２０を構築する場合、断面矩形状の矩形シールド（図示せず）を掘進させて主トンネル２１を構築し、主トンネル２１の上面２２と下面２３とに沿って他のシールド（図示せず）を複数掘進させて主トンネル２１より小径の副トンネル２４を主トンネル２１と平行に構築する。この後、副トンネル２４をアンカー２５で地山に固定すると共に、それぞれの副トンネル２４と主トンネル２１とを連結部材たる連結ボルト２６を介して連結して主トンネル２１を上下から支持・補強する。主トンネル２１は、幅広に形成されるため、単体では上面２２と下面２３が強度不足となるが、副トンネル２４に連結されることで上面２２が吊持され、下面２３が浮き上がりを防止する方向に支持され、十分な強度となる。
【００３８】
また、副トンネル２４に先んじて主トンネル２１を単体で構築するとき、主トンネル２１は一時的に強度不足の状態となるため、矩形シールドを掘進させつつ副トンネル用のシールドを矩形シールドの後方に接近させて掘進させ、副トンネル２４を時間をおかずに主トンネル２１に連結するとよい。或いはまた、主トンネル２１に副トンネル２４を連結するまでの間、主トンネル２１の天井面２７と床面２８との間に柱（図示せず）を仮設しておいてもよい。
【００３９】
このように、矩形シールドを掘進させて主トンネル２１を構築し、主トンネル２１に沿って他のシールドを掘進させて副トンネル２４を主トンネル２１と平行に構築し、副トンネル２４と主トンネル２１とを連結ボルト２６を介して連結して主トンネル２１を支持・補強するようにすると、セグメント２９が厚くなりすぎるのを防ぐことができ、セグメント２９の製造コストが高くなるのを防ぐことができると共に、セグメント２９の取り扱いを容易にでき、セグメント搬送装置（図示せず）やエレクタ（図示せず）が大がかりになるのを防ぐことができる。また、副トンネル用のシールドを矩形シールドと同じ位置から発進させ、到達位置も同じにする場合、別途発進立坑や到達立坑を構築する必要がなく、さらに容易にトンネル２０を構築できる。
【００４０】
また、主トンネル２１の下部に沿って副トンネル２４を構築し、副トンネル２４と主トンネル２１とを連結ボルト２６を介して連結して主トンネル２１に作用する浮力に対抗して主トンネル２１を支持するため、地下水が豊富な地盤であってもトンネル２０を安定して構築することができる。
【００４１】
なお、副トンネル２４をアンカー２５で地山に固定することで主トンネル２１をさらに安定して支持出来る点は上述の実施の形態と同様である。
【００４２】
また、幅広の矩形トンネルを構築する場合について説明したが、これに限るものではない。例えば図１５に示すように、上下に膨らんだ断面樽状のトンネル３０を構築する場合であっても主トンネル３１の上下両面又は上下いずれかの面に沿って副トンネル３２を主トンネル３１と平行に構築し、副トンネル３２と主トンネル３１とを連結部材たる連結ボルト３３で連結して主トンネル３１を補強するものとしてもよい。この場合、主トンネル３１は上下に膨らんでおり、上下面は平面である場合よりも強度が高められているため、主トンネル３１の強度に応じて副トンネル３２の数を減らしてもよい。また、図１６に示すように、主トンネル４０が上下に長く、単体では側面４３の強度が不足する場合、主トンネル４０の両側面４３に沿って副トンネル４１を主トンネル４０と平行に構築し、副トンネル４１と主トンネル４０の側面４３とを連結部材たる連結ボルト４２で連結して主トンネル４０を補強するものとしてもよい。またさらに、図１７に示すように、断面円形の主トンネル５０に沿って副トンネル５１を主トンネル５０と平行に構築し、副トンネル５１と主トンネル５０を連結部材たる連結ボルト５２で連結して主トンネル５０を補強するものとしてもよい。特に主トンネル５０が大断面である場合、セグメント５３が厚くなりすぎるのを防ぐことができ、トンネル５４を安価に効率よく構築することができる。
【図面の簡単な説明】
【００４３】
【図１】本発明の好適実施の形態を示す断面複円形の主トンネルを複円型シールドで構築する状態の斜視図である。
【図２】下側のカモメ型セグメントを組み立てているときの図１のＡ−Ａ線断面である。
【図３】図２の後、湾曲板状のセグメントを組み立てている図１のＡ−Ａ線断面である。
【図４】図３の後、全ての湾曲板状のセグメントを組み立てた図１のＡ−Ａ線断面である。
【図５】図４の後、上側のカモメ型セグメントを組み立てている図１のＡ−Ａ線断面である。
【図６】図５の後、上下のカモメ型セグメント間に中柱を介設している図１のＡ−Ａ線断面である。
【図７】主トンネルのくびれ部に沿ってシールドを掘進させて副トンネルを構築している状態の斜視図である。
【図８】図７の正面断面図である。
【図９】図８の側断面図である。
【図１０】副トンネルに主トンネルのくびれ部を連結した状態の正面断面図である。
【図１１】図１０の側面断面図である。
【図１２】図１０の後、中柱を撤去した状態の正面断面図である。
【図１３】図１２の側面断面図である。
【図１４】他の実施の形態を示すトンネルの正面断面図である。
【図１５】他の実施の形態を示すトンネルの正面断面図である。
【図１６】他の実施の形態を示すトンネルの正面断面図である。
【図１７】他の実施の形態を示すトンネルの正面断面図である。
【符号の説明】
【００４４】
１  複円型シールド（シールド）
２  主トンネル
５  通常セグメント（セグメント）
６  カモメ型セグメント
７  中柱セグメント（中柱）
８  トンネル円形部
９  くびれ部
１０  シールド
１１  副トンネル
１２  連結ボルト（連結部材）
１３  アンカー
２１  主トンネル
３１  主トンネル
４０  主トンネル
５０  主トンネル
２４  副トンネル
３２  副トンネル
４１  副トンネル
５１  副トンネル
２６  連結ボルト（連結部材）
３３  連結ボルト（連結部材）
４２  連結ボルト（連結部材）
５２  連結ボルト（連結部材）
【図１】
2008025305.tif 000003
【図２】
2008025305.tif 000004
【図３】
2008025305.tif 000005
【図４】
2008025305.tif 000006
【図５】
2008025305.tif 000007
【図６】
2008025305.tif 000008
【図７】
2008025305.tif 000009
【図８】
2008025305.tif 000010
【図９】
2008025305.tif 000011
【図１０】
2008025305.tif 000012
【図１１】
2008025305.tif 000013
【図１２】
2008025305.tif 000014
【図１３】
2008025305.tif 000015
【図１４】
2008025305.tif 000016
【図１５】
2008025305.tif 000017
【図１６】
2008025305.tif 000018
【図１７】
2008025305.tif 000019